(57)【要約】【課題】  従来は、独楽まわし台を傾斜のきつい場所等に置いて使用すると独楽まわし台及びその表面が傾き不安定な状態となっていた。また、従来の独楽まわしは、娯楽性に乏しかった。更には、リハビリ等に有用な独楽まわし台が必要とされている。【解決手段】  独楽まわし台とそのセットに独楽まわし台を水平に維持するための水平保持手段を設け、独楽が回転するプレート部分をルーレット状にすることで、独楽まわし台の安定性維持が図れ、娯楽性が高く、リハビリ等に効果的な独楽まわし台とそのセットを提供する。【選択図】          図１
2006247119.tif 000002
【特許請求の範囲】
【請求項１】
独楽の回転エリアとなり得る中心に向かって傾斜する回転部と独楽の落下防止用の壁を備えたプレートと、
このプレートを支持するベースと、
該プレートと該ベースとの間に設けた水平を支持するネジ、水、エアー等の水平保持手段とで構成されていることを特徴とするリハビリ用等独楽まわし台及びそのセット。
【請求項２】
独楽の回転エリアとなり得る膨出部を有する碗型の回転部と独楽の落下防止用の壁を備え、独楽の落下防止用の壁の下部にルーレット状の番号を割り当てた孔、凹部、プリント等がある領域が形成されているプレートと、
このプレートを支持するベースと、
該プレートと該ベースとの間に設けた水平を支持するネジ、水、エアー等の水平保持手段とで構成されていることを特徴とするリハビリ用等独楽まわし台及びそのセット。
【発明の詳細な説明】
【技術分野】
【０００１】
本発明は、リハビリ用等の独楽まわし台及びそのセットに関する。
【背景技術】
【０００２】
近年の医療・医薬のめざましい進歩・発展によって、我が国における平均寿命が伸びていることは、切に喜ばしいことであるが、その反面、現代の深刻な社会問題の一つである高齢化社会を招来しており、高齢者に痴呆症が発症していることも事実である。現在我が国では、６５歳以上の人口が総人口の２０％に迫っており、高齢化が極めて急速に進行している（内閣府ホームページ「少子・高齢化」）。従って、高齢者の痴呆症を予防して、高齢者が介護を必要とせず、自立して生活できることが望まれる。また、病気や怪我等によって身体が不自由となり、通常の社会生活が困難となった場合、身体機能の回復のため、病院や自宅等でリハビリテーションが行われている。例えば、脳梗塞等の病気によって身体がマヒしてしまった場合のリハビリテーションの一つに、指先を使って身体機能の回復を図る方法がある。このリハビリテーションを行うことによって患者の身体機能を回復させ、従前と同様の社会生活を営むことができるようになる。
このように、高齢者が介護を必要とせず、自立して生活できる社会を形成するためには、指先を使うことによって脳を活性化させ、痴呆症等の予防を行うことが必要である。その一環として、高齢者にも手軽に使用でき、ゲームのルールも簡単な独楽まわしが有用である。また、病気や怪我等によって身体が不自由となり、通常の社会生活が困難となった場合に、身体機能の回復のため病院や自宅等で行われるリハビリテーションの一つとして行う独楽まわしは、激しい動作を必要とせず、簡易に行うことができるため有用である。尚、この独楽まわしは、記憶喪失者にも同様に有用である。
【０００３】
この点に関して、従来の独楽まわしの遊技台としては、実開昭５２−１５６２００号「コマまわし台」がある（文献１とする）。これは、コマまわし台としての強度を持つ材料で、中央へくぼみを持たせるよう成形したコマまわし台である。また実開昭５３−７３１００号「はじき独楽」がある（文献２とする）。これは、独楽まわしの台座の少なくとも1個所にへこみを入れたものである。これらの文献１及び２は、独楽をまわす台の中央にテーパー状のくぼみやへこみを持たせ、独楽が前記テーパー状のくぼみやへこみに沿って中央に集まり、回転する独楽が接触し合ってはじき飛ばされることを楽しむ玩具である。
【０００４】
しかし、前記文献１及び２に見られる従来の独楽まわし台では、傾斜のきつい場所や、不安定な場所において使用する場合、独楽まわし台の表面を水平に保つのが困難である。また、単に回転する独楽同士を接触させることによってはじき飛ばすこと楽しむことのみを目的とする玩具では、娯楽性に乏しいという問題がある。
さらに、高齢者にも扱いやすい独楽を指先でまわすことによって、指先を刺激し、脳を活性化させ、現代の深刻な社会問題の一つである高齢化社会に伴う痴呆症等の予防が期待され、また、脳梗塞等のリハビリテーションで患者に独楽を使用させることによって、症状の改善が期待されている。
【０００５】
【特許文献１】実開昭５２−１５６２００号
【特許文献２】実開昭５３−７３１００号
【発明の開示】
【発明が解決しようとする課題】
【０００６】
本発明は、上記問題点に鑑み、独楽まわし台を水平に保ち、痴呆症等の予防や脳梗塞の患者や身体障害者のリハビリテーションに有用で、娯楽性の高いリハビリ用等の独楽まわし台及びそのセットを提供することを目的とする。
【課題を解決するための手段】
【０００７】
請求項１に記載の独楽まわし台及びそのセットは、独楽の回転エリアとなり得る中心に向かって傾斜する回転部と独楽の落下防止用の壁を備えたプレートと、
このプレートを支持するベースと、
該プレートと該ベースとの間に設けた水平を支持するネジ、水、エアー等の水平保持手段とで構成されていることを特徴とする。
【０００８】
請求項２に記載の独楽まわし台及びそのセットは、独楽の回転エリアとなり得る膨出部を有する碗型の回転部と独楽の落下防止用の壁を備え、独楽の落下防止用の壁の下部にルーレット状の番号を割り当てた孔、凹部、プリント等がある領域が形成されているプレートと、
このプレートを支持するベースと、
該プレートと該ベースとの間に設けた水平を支持する、ネジ、水、エアー等の水平保持手段とで構成されていることを特徴とする。
【発明の効果】
【０００９】
請求項１の発明によれば、前記プレートとこれを支持する前記ベースとの間にプレートを水平に保つための前記水平保持手段が形成されているので、該水平保持手段を調節することによって、傾斜角度のある場所や、不安定な場所でも該プレートの水平性を持することができる。従って、極端な傾斜角度がある側から独楽を投入したほうが有利となってしまう等の不公平をなくす事ができ、公平に独楽まわしを楽しむことができる。更に、下まわし式又は上まわし式の独楽を指先でまわすことによって、指先を刺激し、脳を活性化させる効果もある。従って、現代の深刻な社会問題の一つである高齢化社会に伴う痴呆症等の予防も期待でき、また脳梗塞等でリハビリテーションが必要な患者に本発明を使用させることによって、症状の改善がみられる場合がある。尚、下まわし式の独楽は、通常の指先による所作ではまわし難いので、特にリハビリテーションに有効である。
【００１０】
請求項２の発明によれば、前記プレートに独楽の回転エリアとなり得る膨出部を有する碗型の回転部と独楽の落下防止用の壁を設け、独楽の落下防止用の壁の下部にルーレット状の番号を割り当てた孔、凹部、プリント等がある領域が形成されている。従って、遊技者が予め番号を指定しておき、独楽の回転エリアで回転する独楽同士を接触させ、はじき飛ばされた独楽が指定していた番号の割り当てられた孔、凹部、プリント等がある領域に入れば勝ちとするルールにすれば、単に回転する独楽をはじき飛ばすことのみを目的とした独楽セットよりも娯楽性が高い。また、本発明は、回転する独楽どうしを接触させる遊技方法のみならず、相手がいない場合でも、遊技者が予め番号を指定しておき、はじき飛ばされた独楽を指定していた番号の割り当てられた孔、凹部、プリント等がある領域に入れて遊ぶこともできるので、手軽に娯楽性の高い遊びを楽しむことができる。また、本発明において、下まわし式又は上まわし式の独楽を指先でまわすことによって、指先を刺激し、脳を活性化させる効果もある。従って、現代の深刻な社会問題の一つである高齢化社会に伴う痴呆症等の予防も期待でき、また脳梗塞等でリハビリテーションが必要な患者に本発明を使用させることによって、症状の改善がみられる場合がある。さらに本発明のプレートは、独楽の落下防止用の壁の下部にルーレット状の番号を割り当てた孔、凹部、プリント等がある領域が形成されており、ルーレットの玉の代わりに独楽を使用するため、通常の独楽まわし台を用いて遊ぶ方法よりも娯楽性が高く、老若男女を問わず楽しむことができる。またこの発明においても、下まわし式の独楽は、通常の所作ではまわし難いので特にリハビリテーションに有効である。
【発明を実施するための最良の形態】
【００１１】
以下、図面を使って本発明の実施の形態を説明する。
図１は、本発明であるプレート１とこれを支持するベース５との間にプレート１を水平に保つためのネジ式の水平保持手段１５が形成されている独楽まわし台５０の断面を図示したものである。このように本発明は、下まわし式の独楽１９，上まわし式の独楽２０が回転するプレート１と、プレート１の下にプレート１を支持するかたちのベース５と、ベース５に孔６があり、孔６を貫通するように形成されているネジ式の水平保持手段１５とで構成されている。孔６の内側には螺子部がもうけられており、ネジ式の水平保持手段１５の本体１７も螺刻されているため、ネジ式の水平保持手段１５と孔６は螺合される。従って、ネジ式の水平保持手段１５が回転することによって上下移動し、それに伴ってプレート１が水平に保たれることとなる。プレート１の表面１ａは、プレート１の端部１ｃに形成した下まわし式の独楽１９，上まわし式の独楽２０の落下防止用の壁４の下部４ａから続く傾斜面３が、プレート１の中心１００に向かって緩やかなテーパーを有しており、回転する下まわし式の独楽１９，上まわし式の独楽２０がプレート１の中心１００に集まって、下まわし式の独楽１９，上まわし式の独楽２０同士が接触することとなる。尚、プレート１の端部１ｃは、略コの字型に形成されている。このネジ式の水平保持手段１５は、一体形状となっている。プレート１の裏面１ｂにネジ式の水平保持手段１５の頭側１６が当直（固着）し、水平保持手段１５の足側１８は本発明を載置する場所に当直する。プレート１を支持するベース５の端部５ｂは、テーパー形状に角度がつけられており、この端部５ｂがプレート１の略コの字型の端部１ｃに嵌合する。
尚、前述したネジ式の水平保持手段１５の他にも種々の水平保持手段が考えられるので、以下、その他の水平保持手段７として後述する。その他の水平保持手段７は、ネジ式以外のものであってもプレート１を水平に調整できるものであればよい。また、ベース５とプレート１の空洞部２５の気密室又は袋にエアーを入れ、プレート１の水平性を維持することもできる。
【００１２】
図２は、本発明であるプレート１とこれを支持するベース５との間にプレート１を水平に保つためのネジ式の水平保持手段１５が形成されている下まわし式の独楽まわし台５０の平面を図示したものである。プレート１の表面１ａには、囲繞するように壁４が設けられており、この壁４の下部４ａから続く傾斜面３がプレート１の中心１００に向かって緩やかなテーパーを有している。この中心１００は、プレート１の回転部２の中央に回転する下まわし式の独楽１９，上まわし式の独楽２０が接触しあう箇所に形成されている。プレート１の形状は、正方形や長方形、円形等、独楽が接触し合う際、ネジ式の水平保持手段１５によって水平性を保つことができればどのような形状であってもよい。プレート１の大きさは、プレート１の端部１ｃがベース５の端部５ｂを包含するかたちに形成されているため、ベース５よりもプレート１の方が大きい構成となっている。尚、前述の壁４は二方向に設けることもできる（図示せず）。
また、他の例として、プレート１の表面１ａを芳香成分を封入したマイクロカプセル混入インキを用いた保香層とすることもできる。この場合、下まわし式の独楽１９，上まわし式の独楽２０が回転して下まわし式の独楽１９，上まわし式の独楽２０と保香層が擦れると香りが辺りに漂う。この香りによって、精神が覚醒され、鎮静されたりする場合もあるので、例えば、リラックス効果を得たい場合は、プレートの表面１ａをラベンダーの芳香成分を封入したマイクロカプセル混入インキを用いた保香層とすることもできる。また、高齢者特有の体臭を消臭する効果も期待できる。
【００１３】
図３は、本発明であるプレート１とこれを支持するベース５との間にプレート１を水平に保持するための着脱方式のネジ式の水平保持手段１５が形成されている独楽まわし台５０を裏面から図示したものである。プレート１の裏面１ｂにネジ式の水平保持手段１５の頭側１６が当直（螺着、螺脱）し、ネジ式の水平保持手段１５の足側１８は本発明を載置する場所に当直する。ベース５の端部５ｂに主にネジ式の水平保持手段１５を挿入するための孔６が形成されている。この孔６の内側は螺刻されており、ネジ式の水平保持手段１５の本体１７も螺刻されている。そしてネジ式の水平保持手段１５をベース５の孔６に螺合させ、ネジ式の水平保持手段１５を回転させプレート１を上下に調整する。プレート１を支持するベース５の端部５ｂは、テーパー形状に角度がつけられており、角度をつけられたテーパー形状の端部５ｂがプレート１の略コの字型の端部１ｃに嵌合する。ベース５の形状は、正方形や長方形等、下まわし式の独楽１９，上まわし式の独楽２０が接触し合う際、ネジ式の水平保持手段１５によって水平性を保つことができればどのような形状であってもよい。ベース５の大きさは、プレート１がベース５を包含する形に形成されているため、ベース５の方がプレート１よりも小さい構成となっている。
【００１４】
図４は、プレート１とベース５との間に形成されているその他の水平保持手段７が水８である独楽まわし台５０の断面を図示したものである。下まわし式の独楽１９，上まわし式の独楽２０が回転するプレート１と、プレート１の下にプレート１を支持するベース５があり、ベース５にその他の水平保持手段７としての水８が注入される。この図のようにベース５を載置する場所に傾斜があってベース５自体が傾いても、ベース５に注入された水８は水平に保たれるため、水の上に浮かぶ該プレート１も水平に保たれる。また、ベース５を傾けた場合に内部の水５２が流出しないようにベース５の端部５ｂに防水壁５ａを設けている。
【００１５】
図５は、本発明である碗型プレート９に下まわし式の独楽１９，上まわし式の独楽２０の回転エリアとなり得る膨出部１０１を有する碗型の回転部９ｂと下まわし式の独楽１９，上まわし式の独楽２０の落下防止用の壁４を備え、下まわし式の独楽１９，上まわし式の独楽２０の落下防止用の壁４の下部４ａにルーレット状の番号部１０を割り当てたルーレットの孔、凹部、プリント等があるルーレットの孔等の領域１１が形成されているルーレット状の独楽まわし台５１の断面を図示したものである。この碗型プレート９の頂点９ａは、碗型の回転部９ｂよりも窪んだ構成となっている。
下まわし式の独楽１９，上まわし式の独楽２０の回転エリアとなり得る膨出部１０１を有する碗型の回転部９ｂを設けた碗型プレート９の下まわし式の独楽１９，上まわし式の独楽２０の落下防止用の壁４の下部４ａには、ルーレット状の番号部１０を仕切る仕切り板１２が形成されている。この仕切り板１２により特定の番号の場所に落ちた下まわし式の独楽１９，上まわし式の独楽２０が他の番号の孔、凹部、プリント等があるルーレットの孔等の領域１１に入ることを防止する。また、該プレート１と該ベース５の間の空洞部２５には、下まわし式の独楽１９，上まわし式の独楽２０を収納するための収納ケース２１や小物を入れることもできる。この収納ケース２１には、引出し２１０の取り出し等を容易にするための把手２１ａが形成されている。
【００１６】
図６は、本発明である碗型プレート９に下まわし式の独楽１９，上まわし式の独楽２０の回転エリアとなり得る膨出部１０１を有する碗型の回転部９ｂと下まわし式の独楽１９，上まわし式の独楽２０の落下防止用の壁４を備え、下まわし式の独楽１９，上まわし式の独楽２０の落下防止用の壁４の下部４ａにルーレット状の番号部１０を割り当てたルーレットの孔、凹部、プリント等があるルーレットの孔等の領域１１が形成されているルーレット状の独楽まわし台５１を平面視した図である。ルーレット状の独楽まわし台５１であるため、碗型プレート９は一般には円形である。この碗型プレート９の頂点９ａにおいて、下まわし式の独楽１９，上まわし式の独楽２０が回転し、接触し合う。また、碗型プレート９のルーレット番号部１０の下部１０ａには、下まわし式の独楽１９，上まわし式の独楽２０が入るルーレットの孔、凹部、プリント等があるルーレットの孔等の領域１１が形成されている。
【００１７】
図７は、独楽まわし台のプレートの表面１ａに点数を記載した凹部１３ａ等の領域を設けた点数プレートの独楽まわし台５３を平面視した図である。点数プレート１３の右側端部１３ｃ、左側端部１３ｄには、独楽落下防止用の壁４が形成されている。尚、奥側端部１３ｅは壁４を設けた構成とし、高得点の凹部１３ａへの入り込みを困難とする。下まわし式の独楽１９，上まわし式の独楽２０が入る領域は凹部１３ａの他、孔、シール、プリント等で形成してもよい。また、点数プレートの独楽まわし台５３の手前側５３ａの凹部１３ａに入った場合には点数が低く、点数プレートの独楽まわし台５３の奥側５３ｂに行くにつれて点数が高くなるよう設定して楽しむことができる。さらに、高得点の凹部１３ａ等の近傍に零点の凹部13ｂ等を設けることによって娯楽性が高まる。また、下まわし式の独楽１９，上まわし式の独楽２０が入る領域にシールを使用した場合は、点数の配置を使用者側で任意に設定することもできる。また下まわし式の独楽１９，上まわし式の独楽２０が入る凹部１３ａ等の領域の大きさは、状況によって変更することもできる。尚、点数プレートの独楽まわし台５３の形状は、長方形の他、正方形であってもよい。
【００１８】
図８は、独楽まわし台のプレートの表面１ａに番号を記載した凹部１４ａを設けた番号プレートの独楽まわし台５４を平面視した図である。番号プレート１４の右側端部１４ｂ、左側端部１４ｃ、奥側端部１４ｄには、独楽落下防止用の壁４が形成されている。下まわし式の独楽１９，上まわし式の独楽２０が入る領域は凹部１４ａの他、孔、シール、プリント等で形成してもよい。従って、下まわし式の独楽１９，上まわし式の独楽２０が入る領域にシールを使用した場合、番号の順列は使用者側で任意に設定することも可能であり、使用する度に番号の順列を変更することもできる。また下まわし式の独楽１９，上まわし式の独楽２０が入る凹部１４ａ等の大きさは、状況によって変更することもできる。凹部１４ａ等の大きさは、凹部１４ａ等が大きいと難易度が低く、凹部１４ａ等が小さいと難易度が高いため、使用者側の要求に応じて、様々な凹部１４ａ等の大きさの番号プレートの独楽まわし台５４を提供することができる。
【００１９】
図９は、プレート１の水平性を維持するための水平保持手段の一つであるネジ式の水平保持手段１５の正面を図示したものである。このネジ式の水平保持手段１５は、頭側１６と本体１７と足側１８で構成されている。ネジ式の水平保持手段１５の頭側１６、足側１８の部分の一方又は両方が取外し可能となるように形成されている。プレート１の裏面１ｂにネジ式の水平保持手段１５の上部１５ａが当直し、該ネジ式の水平保持手段１５の足側１８は本発明を載置する場所に当直する。
【００２０】
図１０は、本発明に用いる下まわし式の独楽１９を示した斜視図である。この下まわし式の独楽１９の頭部１９ａには、図示したように、家紋等を入れて使用することもできる。また他の例として、下まわし式の独楽１９の頭部１９ａを蓋状にして取外し可能とし、蓋状の部分の上面に透明板を組み込ませ、使用者の好みの図柄の絵や写真等を入れて使用することもできる。また、他の例として、下まわし式の独楽１９の軸１９ｂの表面１９ｃは、平坦の他、凸条にすることもできる。このように軸１９ｂの表面１９ｃを凸条にすることによって、独楽をまわすときに凸条の部分が指先を刺激し、脳を活性化する効果も期待でき、また、独楽をまわす際にグリップ力が増し有用である。
【００２１】
図１１は、本発明に用いる上まわし式の独楽２０を示した斜視図である。この上まわし式の独楽２０の頭部２０ａにも、図柄等を入れて使用することもできる。また、上まわし式の独楽２０の軸２０ｂの表面２０ｃは、平坦の他、凸条にすることもできる。このように軸２０ｂの表面２０ｃを凸条にすることによって、独楽をまわすときに凸条の部分が指先を刺激し、脳を活性化する効果も期待でき、また、独楽をまわす際にグリップ力が増し有用である。尚、独楽をまわす際は軸２０ｂの上側を持つことが望ましい。
【図面の簡単な説明】
【００２２】
【図１】本発明のプレートとこれを支持するベースとの間にプレートを水平に保つためのネジ式の水平保持手段が形成されている独楽まわし台の断面図である。
【図２】本発明のプレートとこれを支持するベースとの間にプレートを水平に保つためのネジ式の水平保持手段が形成されている独楽まわし台の平面図である。
【図３】本発明のプレートとこれを支持するベースとの間にプレートを水平に保持するためのネジ式の水平保持手段が形成されている独楽まわし台の裏面図である。
【図４】本発明のプレートとベースとの間に形成されているその他の水平保持手段が水である場合の独楽まわし台の断面図である。
【図５】本発明の碗型プレートによって構成されている独楽まわし台の断面図である。
【図６】本発明の碗型プレートによって構成されている独楽まわし台の平面図である。
【図７】本発明の独楽まわし台のプレートの表面に点数を記載した凹部を設けた独楽まわし台の平面図である。
【図８】本発明の独楽まわし台のプレートの表面に番号を記載した凹部を設けた独楽まわし台の平面図である。
【図９】本発明のネジ式の水平保持手段の正面図である。
【図１０】本発明の下まわし式の独楽の斜視図である。
【図１１】本発明の上まわし式の独楽の斜視図である。
【符号の説明】
【００２３】
１：プレート
１００：中心
１０１：膨出部
１ａ：表面
１ｂ：裏面
１ｃ：端部
２：回転部
３：傾斜面
４：壁
４ａ：下部
５：ベース
５ａ：防水壁
５ｂ：端部
６：孔
７：その他の水平保持手段
８：水
９：碗型プレート
９ａ：頂点
９ｂ：回転部
１０：ルーレット状の番号部
１０ａ：下部
１１：ルーレットの孔等の領域
１２：仕切り板
１３：点数プレート
１３ａ：凹部
１３ｂ：零点の凹部
１３ｃ：右側端部
１３ｄ：左側端部
１３ｅ：奥側端部
１４：番号プレート
１４ａ：凹部
１４ｂ：右側端部
１４ｃ：左側端部
１４ｄ：奥側端部
１５：ネジ式の水平保持手段
１５ａ：上部
１６：頭側
１７：本体
１８：足側
１９：下まわし式の独楽
１９ａ：頭部
１９ｂ：軸
１９ｃ：表面
２０：上まわし式の独楽
２０ａ：頭部
２０ｂ：軸
２０ｃ：表面
２１：収納ケース
２１０：引出し
２１ａ：把手
２５：空洞部
５０：独楽まわし台
５１：ルーレット状の独楽まわし台
５２：水
５３：点数プレートの独楽まわし台
５３ａ：手前側
５３ｂ：奥側
５４：番号プレートの独楽まわし台
【図１】
2006247119.tif 000003
【図２】
2006247119.tif 000004
【図３】
2006247119.tif 000005
【図４】
2006247119.tif 000006
【図５】
2006247119.tif 000007
【図６】
2006247119.tif 000008
【図７】
2006247119.tif 000009
【図８】
2006247119.tif 000010
【図９】
2006247119.tif 000011
【図１０】
2006247119.tif 000012
【図１１】
2006247119.tif 000013